(57)【要約】【課題】簡素な処理で送信用のタイムスロットを切り替えて送信を実行できる端末装置を提供する。【解決手段】端末装置１０において、通信部２０は、通信チャンネルの複数のタイムスロットのいずれかを用いて通信を行う。操作部３０は、ユーザの送信操作を受け付ける。判定部４４は、通信部２０が自端末装置宛ではない受信信号を受信しているときに操作部３０が送信操作を受け付けた場合に、当該受信信号のタイムスロットが初期設定された送信用のタイムスロットと同じであるか判定する。切り替え部４２は、判定部４４により自端末装置宛ではない受信信号のタイムスロットが初期設定された送信用のタイムスロットと同じであると判定され、且つ、操作部３０が再び送信操作を受け付けた場合に、送信用のタイムスロットを切り替えて通信部２０に送信を実行させる。【選択図】図２
2019047240.tif 000002
【特許請求の範囲】
【請求項１】
通信チャンネルの複数のタイムスロットのいずれかを用いて通信を行う通信部と、
ユーザの送信操作を受け付ける操作部と、
前記通信部が自端末装置宛ではない受信信号を受信しているときに前記操作部が送信操作を受け付けた場合に、当該受信信号のタイムスロットが初期設定された送信用のタイムスロットと同じであるか判定する判定部と、
前記判定部により前記自端末装置宛ではない受信信号のタイムスロットが前記初期設定された送信用のタイムスロットと同じであると判定され、且つ、前記操作部が再び送信操作を受け付けた場合に、送信用のタイムスロットを切り替えて前記通信部に送信を実行させる切り替え部と、
を備えることを特徴とする端末装置。
【請求項２】
前記切り替え部は、前記判定部により前記自端末装置宛ではない受信信号のタイムスロットが前記初期設定された送信用のタイムスロットと同じであると判定されてから、前記操作部が再び送信操作を受け付ける前に所定時間が経過した場合に、送信用のタイムスロットを維持することを特徴とする請求項１に記載の端末装置。
【請求項３】
前記判定部により前記自端末装置宛ではない受信信号のタイムスロットが前記初期設定された送信用のタイムスロットと同じであると判定された場合に、送信が非実行であることをユーザに通知する通知部をさらに備えることを特徴とする請求項１または２に記載の端末装置。
【請求項４】
前記切り替え部は、前記通信部による送信が終了したときの送信用のタイムスロットが前記初期設定された送信用のタイムスロットと異なる場合に、送信用のタイムスロットを前記初期設定された送信用のタイムスロットに切り替えることを特徴とする請求項１から３のいずれかに記載の端末装置。
【請求項５】
通信チャンネルの複数のタイムスロットのいずれかを用いて通信を行う端末装置での通信方法であって、
ユーザの送信操作を受け付けるステップと、
自端末装置宛ではない受信信号を受信しているときに送信操作を受け付けた場合に、当該受信信号のタイムスロットが初期設定された送信用のタイムスロットと同じであるか判定するステップと、
前記自端末装置宛ではない受信信号のタイムスロットが前記初期設定された送信用のタイムスロットと同じであると判定され、且つ、再び送信操作を受け付けた場合に、送信用のタイムスロットを切り替えて送信を実行するステップと、
を備えることを特徴とする通信方法。
【請求項６】
通信チャンネルの複数のタイムスロットのいずれかを用いて通信を行う端末装置での通信方法であって、
ユーザの送信操作を受け付けるステップと、
自端末装置宛の受信信号の受信を終了して所定の時間が経過したか否かを判定するステップと、
前記所定の時間を経過する前に送信操作を受け付けた場合に、直前に受信していた受信信号のタイムスロットで送信を実行するステップと、
を含むことを特徴とする通信方法。
【請求項７】
前記所定の時間を経過後に送信操作を受け付けた場合に、初期設定された送信用のタイムスロットで送信を実行するステップをさらに含むことを特徴とする請求項６に記載の通信方法。
【発明の詳細な説明】
【技術分野】
【０００１】
本発明は、通信技術に関し、特に業務用無線による通信を実行可能な端末装置および通信方法に関する。
【背景技術】
【０００２】
ＴＤＭＡ（Ｔｉｍｅ  Ｄｉｖｉｓｉｏｎ  Ｍｕｌｔｉｐｌｅ  Ａｃｃｅｓｓ）技術を用いて、複数のタイムスロットのいずれかを用いて通信を行う無線通信装置が知られている（例えば、特許文献１参照）。この無線通信装置は、デフォルトタイムスロットが利用できない場合、利用可能なタイムスロットを検索し、利用可能なタイムスロットを一時的に選択して、通信を開始する。デフォルトタイムスロットが利用可能となった場合に、無線通信装置は、デフォルトタイムスロットを再選択する。
【先行技術文献】
【特許文献】
【０００３】
【特許文献１】米国特許出願公開第２０１０／０１５７９５８号明細書
【発明の概要】
【発明が解決しようとする課題】
【０００４】
上記技術では、デフォルトタイムスロットが利用できない場合に利用可能なタイムスロットを検索するので、複雑な判定や処理が必要である。
【０００５】
本発明はこうした状況に鑑みてなされたものであり、その目的は、簡素な処理で送信用のタイムスロットを切り替えて送信を実行できる端末装置および通信方法を提供することにある。
【課題を解決するための手段】
【０００６】
上記課題を解決するために、本発明のある態様の端末装置は、通信チャンネルの複数のタイムスロットのいずれかを用いて通信を行う通信部と、ユーザの送信操作を受け付ける操作部と、通信部が自端末装置宛ではない受信信号を受信しているときに操作部が送信操作を受け付けた場合に、当該受信信号のタイムスロットが初期設定された送信用のタイムスロットと同じであるか判定する判定部と、判定部により自端末装置宛ではない受信信号のタイムスロットが初期設定された送信用のタイムスロットと同じであると判定され、且つ、操作部が再び送信操作を受け付けた場合に、送信用のタイムスロットを切り替えて通信部に送信を実行させる切り替え部と、を備える。
【０００７】
本発明の別の態様は、通信方法である。この方法は、通信チャンネルの複数のタイムスロットのいずれかを用いて通信を行う端末装置での通信方法であって、ユーザの送信操作を受け付けるステップと、自端末装置宛ではない受信信号を受信しているときに送信操作を受け付けた場合に、当該受信信号のタイムスロットが初期設定された送信用のタイムスロットと同じであるか判定するステップと、自端末装置宛ではない受信信号のタイムスロットが初期設定された送信用のタイムスロットと同じであると判定され、且つ、再び送信操作を受け付けた場合に、送信用のタイムスロットを切り替えて送信を実行するステップと、を備える。
【０００８】
本発明のさらに別の態様は、通信方法である。この方法は、通信チャンネルの複数のタイムスロットのいずれかを用いて通信を行う端末装置での通信方法であって、ユーザの送信操作を受け付けるステップと、自端末装置宛の受信信号の受信を終了して所定の時間が経過したか否かを判定するステップと、所定の時間を経過する前に送信操作を受け付けた場合に、直前に受信していた受信信号のタイムスロットで送信を実行するステップと、を含む。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、簡素な処理で送信用のタイムスロットを切り替えて送信を実行できる。
【図面の簡単な説明】
【００１１】
【図１】実施の形態に係る通信システムの構成を示すブロック図である。
【図２】図１の端末装置の構成を示すブロック図である。
【図３】図１の端末装置の処理を示すフローチャートである。
【図４】図１の端末装置の処理を示すフローチャートである。
【発明を実施するための形態】
【００１２】
本発明を具体的に説明する前に、まず概要を述べる。実施の形態は、業務用無線による通信を実行可能な端末装置に関する。業務用無線は、音声通信を実行する。音声通信の一例がＰＴＴ（Ｐｕｓｈ  ｔｏ  Ｔａｌｋ）である。ＰＴＴでは、ユーザが、通話開始時にＰＴＴボタンを押し、通話終了時にＰＴＴボタンを解放する。また、業務用無線では、複数の端末装置によってグループを形成することも可能である。
【００１３】
業務用無線の通信方式の規格として、ＤＭＲ（Ｄｉｇｉｔａｌ  Ｍｏｂｉｌｅ  Ｒａｄｉｏ）が知られている。ＤＭＲは、１つの通信チャンネルに２つのタイムスロットが割り当てられたＴＤＭＡの規格である。複数の端末装置は、１つの通信チャンネルの２つのタイムスロットのいずれかを用いて通信を行う。２つのグループにそれぞれ異なるタイムスロットを割り当てることで、１つの通信チャンネルを共用して２つのグループがそれぞれ個別に通信を実行可能である。既述のように、簡素な処理で送信用のタイムスロットを切り替えることが望まれる。
【００１４】
そこで本実施の形態に係る端末装置では、自端末装置宛ではない受信信号を受信しているときにＰＴＴボタンによる送信操作を受け付けた場合に、当該受信信号のタイムスロットが初期設定された送信用のタイムスロットと同じであるか判定する。そして、自端末装置宛ではない受信信号のタイムスロットが初期設定された送信用のタイムスロットと同じであると判定され、且つ、再びＰＴＴボタンによる送信操作を受け付けた場合に、送信用のタイムスロットを切り替えて通信部に送信を実行させる。
【００１５】
図１は、実施の形態に係る通信システム１００の構成を示すブロック図である。通信システム１００は、端末装置１０と総称される第１端末装置１０ａ、第２端末装置１０ｂ、第３端末装置１０ｃ、第４端末装置１０ｄを備える。端末装置１０の数は、「４」に限定されない。
【００１６】
端末装置１０は、他の端末装置１０と業務用無線による通信を実行可能な無線端末である。ここでは、通信として通話がなされるものとする。なお、データ通信がなされてもよい。業務用無線については公知のＤＭＲ技術が使用されればよいので、ここでは詳細な説明を省略する。例えば、第１端末装置１０ａと第２端末装置１０ｂが第１グループ１２を形成し、第３端末装置１０ｃと第４端末装置１０ｄが第２グループ１４を形成する。このように、複数の端末装置１０が含まれたグループが複数形成されている。１つのグループに含まれる端末装置１０の数は、「２」に限定されない。グループ毎に、グループに含まれたひとつの端末装置１０から、当該グループに含まれた残りの端末装置１０への通信がなされる。前述のように、ＤＭＲ技術では、１つの通信チャンネルが２つのタイムスロットを有するため、１つの通信チャンネル、すなわち１つの周波数で２回線の半二重の通信を行うことが可能である。そのため、第１グループ１２の複数の端末装置１０が通信に用いる通信チャンネルは、第２グループ１４の複数の端末装置１０が通信に用いる通信チャンネルと同じ場合がある。以下、２つのタイムスロットを、タイムスロット１、タイムスロット２と呼ぶ。
【００１７】
なお、複数の端末装置１０は、図示しない基地局装置に接続してもよい。この場合、複数の端末装置１０は、基地局装置を介して互いに通信可能である。基地局装置は、グループに対して、上りチャネルと下りチャネルを割り当てる。このような状況下において、グループ中の１つの端末装置１０が、上りチャネルにて信号を送信し、グループ中の他の端末装置１０が、下りチャネルにて信号を受信する。上りチャネルと下りチャネルは、それぞれ、タイムスロット１、タイムスロット２を有する。
【００１８】
図２は、端末装置１０の構成を示すブロック図である。端末装置１０は、通信部２０、受信処理部２２、送信処理部２４、スピーカ２６、マイク２８、操作部３０を含む。送信処理部２４は、送話部４０、切り替え部４２、判定部４４、通知部４６を含む。
【００１９】
通信部２０は、ＤＭＲに対応し、通信チャンネルの２つのタイムスロットのいずれかを用いて、自グループの他の端末装置１０と通信を行う。通信部２０は、他の端末装置１０から信号を受信するとともに、他の端末装置１０に信号を送信する。
【００２０】
受信処理部２２は、通信部２０で受信された受信信号を検出する。通信部２０で受信された受信信号は、自グループの送信側の他の端末装置１０から送信される場合もあれば、自グループの通信チャンネルを共用している他グループの他の端末装置１０から送信される場合もある。受信処理部２２は、受信信号に含まれている識別子に基づいて、受信信号が自端末装置１０宛であるか否か判定する。識別子は、端末装置ＩＤを含む。端末装置ＩＤは、端末装置１０を一意に識別する番号である。受信処理部２２は、受信信号に含まれている端末装置ＩＤが自端末装置１０の端末装置ＩＤに一致する場合、受信信号が自端末装置１０宛であると判定し、受信信号に含まれている端末装置ＩＤが自端末装置１０の端末装置ＩＤに不一致の場合、受信信号が他の端末装置１０宛であると判定する。識別子は、予め定められた番号であるカラーコードなどをさらに含んでもよい。また、受信処理部２２は、受信信号に含まれているタイムスロットの情報をもとに、受信信号のタイムスロットがタイムスロット１とタイムスロット２のいずれであるか判定する。
【００２１】
受信処理部２２は、端末装置１０の電源がオンされた場合、音声信号のミュートを行う。受信処理部２２は、受信信号が自端末装置１０宛でない場合、音声信号のミュートを継続する。音声信号のミュートにより、スピーカ２６は音声を出力しない。一方、受信処理部２２は、受信信号が自端末装置１０宛である場合、音声信号のミュートを解除して、受信信号に基づいて復調し音声信号を再生する。この処理は、受信信号のタイムスロットがタイムスロット１であってもタイムスロット２であっても実行される。具体的には、受信処理部２２は、この場合、通信部２０に受信信号の増幅、周波数変換、復調、復号等を実行させる。通信部２０は、処理の結果（以下、これもまた「音声信号」という）を受信処理部２２に出力する。受信処理部２２は、音声信号を再生する。受信処理部２２は、音声信号をスピーカ２６に出力する。スピーカ２６は、受信処理部２２からの音声信号を受けつけ、音声信号を音声として出力する。スピーカ２６は、報知音等も出力する。
【００２２】
受信処理部２２は、受信信号を検出したか否かの情報、受信信号が自端末装置１０宛であるか否かの情報、受信信号のタイムスロットがタイムスロット１とタイムスロット２のいずれであるかの情報を、送信処理部２４に出力する。
【００２３】
マイク２８は、通話の際に、ユーザからの音声を受け付け、音声を音声信号に変換する。マイク２８は、音声信号を送信処理部２４へ出力する。操作部３０は、ユーザの送信操作を受け付ける。操作部３０は、ＰＴＴボタンに相当し、ＰＴＴによって音声を送信する場合に、ユーザによって押し下げられる。また、音声を送信している間にわたって、ＰＴＴボタンは押し下げ続けられる。ＰＴＴボタンが押し下げられることは、音声信号を送信するための送信操作を受けつけることに相当する。ＰＴＴボタンは、押し下げられている間にわたって、指示を送信処理部２４に出力し続ける。
【００２４】
送話部４０は、操作部３０からの指示を受けつけている場合に、マイク２８からの音声信号を入力する。送話部４０は、音声信号をアナログ信号からデジタル信号に変換し、デジタル信号に変換した音声信号（以下、これもまた「音声信号」という）を通信部２０に出力する。一方、送話部４０は、操作部３０からの指示を受けつけていない場合に、このような処理を実行しない。通信部２０は、送話部４０からの音声信号を入力し、タイムスロット１またはタイムスロット２を用いて、音声信号を受信側の他の端末装置１０に送信する。音声信号の送信のために、通信部２０は、符号化、変調、周波数変換、増幅等を実行する。
【００２５】
通信部２０による音声信号の送信、および、送信用のタイムスロットとしてどちらのタイムスロットを用いるかは、受信信号に応じて、切り替え部４２により以下のように制御される。ここでは、説明を明瞭にするために、（１）受信信号を未検出の場合、（２）検出された受信信号が自端末装置１０宛の場合、（３）検出された受信信号が自端末装置１０宛ではない場合の順に説明する。
【００２６】
（１）受信信号を未検出の場合
送信処理部２４は、初期設定された送信用のタイムスロットを記憶している。以下、初期設定された送信用のタイムスロットは、タイムスロット１である一例について説明するが、タイムスロット２であってもよい。切り替え部４２は、受信処理部２２が受信信号を未検出であり、且つ、操作部３０が送信操作を受け付けた場合に、初期設定された送信用のタイムスロットであるタイムスロット１で通信部２０に送信を実行させる。
【００２７】
（２）検出された受信信号が自端末装置１０宛の場合
受信信号を検出した場合に、受信処理部２２は、通信部２０に対し復号化を指示し、復号化した信号によりタイムスロットの判定を行う。切り替え部４２は、受信信号が自端末装置１０宛であり、受信信号の受信終了から所定時間内に操作部３０が送信操作を受け付け、且つ、当該受信信号のタイムスロットが初期設定された送信用のタイムスロットと異なる場合に、送信用のタイムスロットを直前に受信していたタイムスロットに切り替えて通信部２０に送信を実行させる。例えば、切り替え部４２は、受信信号のタイムスロットがタイムスロット２である場合に、送信用のタイムスロットをタイムスロット２に切り替える。所定時間は、直前に受信していた受信信号と同じタイムスロットでの応答を可能とする時間であり、実験などによって予め設定される。自端末装置１０宛の受信信号に対する応答で送信する場合は、受信信号の受信終了後に短時間のうちに送信を行うため所定の時間は受信したタイムスロットによる送信をできるようにしておく必要がある。また、自端末装置１０宛の受信信号の受信終了後、ある程度時間が経過してしまったら、後述する図３のフローチャートのスタートに戻り、初期設定されたタイムスロットの設定となることで処理を単純にすることができる。なお、受信終了とは、受信信号が継続していないことに相当する。
【００２８】
一方、切り替え部４２は、受信信号が自端末装置１０宛であり、受信終了から所定時間内に操作部３０が送信操作を受け付け、且つ、当該受信信号のタイムスロットが初期設定された送信用のタイムスロットと同じ場合に、送信用のタイムスロットを維持して通信部２０に送信を実行させる。すなわち、切り替え部４２は、受信信号のタイムスロットがタイムスロット１である場合に、送信用のタイムスロットを初期設定されたタイムスロット１に維持する。
【００２９】
このように、通信部２０が自端末装置１０宛の受信信号を受信し、受信終了から所定時間内に操作部３０が送信操作を受け付けた場合、通信部２０は、その受信信号のタイムスロットを用いて送信を実行する。
【００３０】
切り替え部４２は、通信部２０による送信が終了したときの送信用のタイムスロットが初期設定された送信用のタイムスロットと異なる場合に、送信用のタイムスロットを初期設定された送信用のタイムスロットに切り替える。なお、送信の終了とは、自端末装置１０の操作部３０によるユーザの送信操作の受け付けが終了し、自端末装置１０における音声信号の送信が終了したことに相当する。
【００３１】
また、切り替え部４２は、受信信号が自端末装置１０宛であり、受信終了から所定時間内に操作部３０が送信操作を受け付けない場合、受信したタイムスロットがいずれであっても、初期設定された送信用のタイムスロットを維持する。
【００３２】
送信処理部２４は、通信部２０が自端末装置１０宛の受信信号を受信し、受信終了前に操作部３０が送信操作を受け付けた場合であっても、受信したタイムスロットでの送信を可としてもよい。
【００３３】
また、送信処理部２４は、通信部２０が受信信号を検出している場合に、送信操作を了承するか拒絶するかの設定を備えてもよく、さらには、受信信号が自端末装置１０宛の場合で受信信号が継続中の場合に、送信操作を拒絶する設定としてもよい。これにより、自端末装置宛の信号を受信しているにも係わらず、その受信信号に被せて送信を行ってしまうといったことを防ぐことができる。また、自端末装置１０宛ではない受信信号を受信している場合には、送信操作を承諾する設定とすればよい。なお、本発明において、「送信操作を受け付けた」、「送信操作を受け付けない」とする場合の意味は、「送信操作が検出された」、「送信操作が検出されていない」という意味であり、つまり端末装置１０を操作するユーザが送信操作を行ったか否か、の判定を意味する。一方、「送信操作を拒絶」の意味は、送信操作が検出されても送信状態とはしないことの意味であり、つまり端末装置１０を操作するユーザが送信操作を行っても送信状態とはならないことを意味する。
【００３４】
（３）検出された受信信号が自端末装置１０宛ではない場合
判定部４４は、通信部２０が自端末装置１０宛ではない受信信号を受信しているときに操作部３０が送信操作を受け付けた場合に、当該受信信号のタイムスロットが初期設定された送信用のタイムスロットと同じであるか判定する。
【００３５】
切り替え部４２は、判定部４４により自端末装置１０宛ではない受信信号のタイムスロットが初期設定された送信用のタイムスロットと異なると判定された場合に、初期設定された送信用のタイムスロットで通信部２０に送信を実行させる。すなわち、切り替え部４２は、受信信号のタイムスロットがタイムスロット２である場合に、送信用のタイムスロットを初期設定されたタイムスロット１に維持する。このとき、切り替え部４２は、初期設定された送信用のタイムスロットが空いているか否かにかかわらず通信部２０に送信を実行させる。
【００３６】
一方、切り替え部４２は、判定部４４により自端末装置１０宛ではない受信信号のタイムスロットが初期設定された送信用のタイムスロットと同じであると判定された場合に、通信部２０に送信を非実行とさせる。すなわち、切り替え部４２は、初期設定された送信用のタイムスロットであるタイムスロット１が他のグループの他の端末装置１０によって使用中である場合に、通信部２０に送信を非実行とさせる。
【００３７】
通知部４６は、判定部４４により自端末装置１０宛ではない受信信号のタイムスロットが初期設定された送信用のタイムスロットと同じであると判定された場合に、スピーカ２６に報知音を出力させ、送信が非実行であることをユーザに通知してもよい。通知部４６は、報知音に加えて、端末装置１０の図示しない表示部に送信が非実行であることを表示させてもよい。送信できなかったことを認識したユーザは、送信操作を中止し、ＰＴＴボタンから指を離す。ユーザは、送話を行いたい場合、再び送信操作を行う。
【００３８】
切り替え部４２は、判定部４４により自端末装置１０宛ではない受信信号のタイムスロットが初期設定された送信用のタイムスロットと同じであると判定され、且つ、操作部３０が再び送信操作を受け付けた場合に、送信用のタイムスロットを切り替えて通信部２０に送信を実行させる。具体的には、切り替え部４２は、自端末装置１０宛ではない受信信号のタイムスロットが初期設定された送信用のタイムスロットと同じであると判定されてから、所定時間内に操作部３０が再び送信操作を受け付けた場合に、送信用のタイムスロットを切り替えて通信部２０に送信を実行させる処理を行う。所定時間は、実験などによって予め設定される。すなわち、切り替え部４２は、受信信号のタイムスロットがタイムスロット１である場合に、送信用のタイムスロットをタイムスロット２に切り替える。このとき、切り替え部４２は、切り替え先のタイムスロットが空いているか確認せずに送信用のタイムスロットを切り替えて、通信部２０に送信を実行させる。
【００３９】
切り替え部４２は、通信部２０による送信が終了したときの送信用のタイムスロットが初期設定された送信用のタイムスロットと異なる場合に、送信用のタイムスロットを初期設定された送信用のタイムスロットに切り替える。
【００４０】
また、最初の送信操作で送信できなかった場合、ユーザは、送話を中止する場合もありうる。切り替え部４２は、自端末装置１０宛ではない受信信号のタイムスロットが初期設定された送信用のタイムスロットと同じであると判定されてから、操作部３０が再び送信操作を受け付ける前に所定時間が経過した場合に、送信用のタイムスロットを維持する。また、通知部４６は、送信が非実行であることをユーザに通知する報知音や表示を停止してもよい。
【００４１】
切り替え部４２は、受信信号が自端末装置１０宛であるか否か判定できない場合は、初期設定された送信用のタイムスロットを維持する。例えば、受信信号が微弱であったり、通信とは無関係のノイズであったり妨害波であったりといった信号で、受信処理部２２が復号化された信号からタイムスロットの判定ができない場合は、切換え条件は満たさないとして初期設定された送信用タイムスロットを維持する。
【００４２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４３】
以上の構成による端末装置１０の動作を説明する。図３と図４は、端末装置１０の処理を示すフローチャートである。この処理は、繰り返し行われる。受信処理部２２が受信信号を未検出であり（Ｓ１０のＮ）、操作部３０が送信操作を受け付けなければ（Ｓ１２のＮ）、処理を終了する。操作部３０が送信操作を受け付ければ（Ｓ１２のＹ）、通信部２０は、初期設定された送信用のタイムスロットで送信を行う（Ｓ１４）。送信が終了していなければ（Ｓ１６のＮ）、送信を維持する。送信が終了していれば（Ｓ１６のＹ）、処理を終了する。
【００４４】
ステップ１０で受信処理部２２が受信信号を検出し（Ｓ１０のＹ）、受信信号が自端末装置１０宛であれば（Ｓ１８のＹ）、図４に移り、受信処理部２２は、ミュートを解除し、通信部２０に復調を行わせる（Ｓ２０）。操作部３０が送信操作を受け付けず（Ｓ２１のＮ）、受信信号が継続中であれば（Ｓ２２のＹ）、ステップ２１に戻る。操作部３０が送信操作を受け付けた場合（Ｓ２１のＹ）、通信部２０は、受信しているタイムスロットで送信を行う（Ｓ２３）。受信信号が終了し（Ｓ２２のＮ）、受信終了から所定時間が経過し（Ｓ２４のＹ）、操作部３０が送信操作を受け付けなかった場合（Ｓ２５のＮ）、処理を終了する。操作部３０が送信操作を受け付けた場合（Ｓ２５のＹ）、通信部２０は、初期設定のタイムスロットで送信を行う（Ｓ２６）。受信終了から所定時間が経過しておらず（Ｓ２４のＮ）、操作部３０が送信操作を受け付けなければ（Ｓ２７のＮ）、ステップ２４に戻る。操作部３０が送信操作を受け付ければ（Ｓ２７のＹ）、通信部２０は、直前に受信していたタイムスロットで送信を行う（Ｓ２８）。
【００４５】
送信を行った場合（Ｓ２３、Ｓ２６、Ｓ２８）において、送信が終了していなければ（Ｓ３０のＮ）、送信を維持する。送信が終了し（Ｓ３０のＹ）、送信に用いられたタイムスロットが初期設定された送信用のタイムスロットであれば（Ｓ３２のＹ）、処理を終了する。送信に用いられたタイムスロットが初期設定された送信用のタイムスロットでなければ（Ｓ３２のＮ）、図３に戻り、送信用のタイムスロットを初期設定されたタイムスロットに戻し（Ｓ５０）、処理を終了する。
【００４６】
ステップ１８で受信信号が自端末装置１０宛でなければ（Ｓ１８のＮ）、受信処理部２２は、ミュートを継続する（Ｓ３４）。操作部３０が送信操作を受け付けず（Ｓ３６のＮ）、かつ、受信信号を継続して受信した場合は（Ｓ３７のＹ）、ステップ１８に戻る。操作部３０が送信操作を受け付けず（Ｓ３６のＮ）、かつ、受信信号が無くなった場合は（Ｓ３７のＮ）、処理を終了する。操作部３０が送信操作を受け付け（Ｓ３６のＹ）、受信信号のタイムスロットが初期設定された送信用のタイムスロットと同じでなければ（Ｓ３８のＮ）、ステップ１４に移る。受信信号のタイムスロットが初期設定された送信用のタイムスロットと同じであれば（Ｓ３８のＹ）、通信部２０は、受け付けた送信操作をキャンセルし、送信を非実行とする（Ｓ４０）。送信のキャンセルから所定時間が経過すれば（Ｓ４２のＹ）、処理を終了する。送信のキャンセルから所定時間が経過しておらず（Ｓ４２のＮ）、操作部３０が送信操作を受け付けなければ（Ｓ４４のＮ）、ステップ４２に戻る。
【００４７】
操作部３０が送信操作を受け付ければ（Ｓ４４のＹ）、通信部２０は、初期設定された送信用のタイムスロットとは異なる送信用のタイムスロットで送信を行う（Ｓ４６）。送信が終了していなければ（Ｓ４８のＮ）、送信を維持する。送信が終了すれば（Ｓ４８のＹ）、送信用のタイムスロットを初期設定されたタイムスロットに戻し（Ｓ５０）、処理を終了する。
【００４８】
なお、受信信号が自端末装置１０宛の場合で受信信号が継続中の場合に、送信操作を拒絶する設定とした場合は、ステップ２１は常にＮｏとすればよい。
【００４９】
このように本実施の形態によれば、送信操作を受け付けたときに自端末装置１０宛ではない受信信号のタイムスロットが初期設定された送信用のタイムスロットと同じであると判定され、且つ、再び送信操作を受け付けた場合に、送信用のタイムスロットを切り替えて通信部２０に送信を実行させる。そのため、他のタイムスロットが空いているか判定せずに、再度の送信操作に応じて送信用のタイムスロットを切り替えることができる。したがって、簡素な処理で送信用のタイムスロットを切り替えて送信を実行できる。
【００５０】
また、自端末装置１０宛ではない受信信号のタイムスロットが初期設定された送信用のタイムスロットと同じである場合に、送信が非実行であることをユーザに通知するので、送信が非実行であることをユーザに容易に認識させることができる。また、自端末装置１０宛ではない受信信号のタイムスロットが初期設定された送信用のタイムスロットと同じであると判定されてから、再度の送信操作を受け付ける前に所定時間が経過した場合に、送信用のタイムスロットを維持するので、容易に送話を中止できる。
【００５１】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５２】
例えば、１つの通信チャンネルに２つのタイムスロットが割り当てられている場合に限らず、１つの通信チャンネルに３つ以上のタイムスロットが割り当てられていてもよい。
【符号の説明】
【００５３】
１０…端末装置、２０…通信部、２２…受信処理部、２４…送信処理部、２６…スピーカ、２８…マイク、３０…操作部、４０…送話部、４２…切り替え部、４４…判定部、４６…通知部。
【図１】
2019047240.tif 000003
【図２】
2019047240.tif 000004
【図３】
2019047240.tif 000005
【図４】
2019047240.tif 000006